(57)【特許請求の範囲】
【請求項１】
建物の外壁材４と軒天井材１の取り合い部分である軒裏見切り部分に用いるシール材であって、外壁材表面と対向して、該外壁材表面と共に軒裏見切り部分を構成する軒天井材１の側端面又は軒天井材１の側端部に取付けられ、該側端面又は側端部に沿って可撓性を有し、凹凸４ａ、４ｂに形成される外壁材表面に弾接する、ゴム、樹脂又は熱可塑性エラストマー製のリップ２１よりなり、該リップ２１は外壁材4へのラップ量ｂが外壁材表面に形成される凹凸４ａ、４ｂの最大深さをなす凹部底の深さｈより大に形成されると共に、少なくとも外壁材表面に弾接する部分にはスリット２４が軒天井材側端面に沿う長手方向に適当間隔で入れられて無数のスリット片２５が形成されることを特徴とする軒裏見切り部分のシール材。
【請求項２】
前記リップ２１は少なくとも外壁材表面に弾接する部分が斜下向きに延出することを特徴とする請求項１記載の軒裏見切り部分のシール材。
【請求項３】
前記リップ２１は、前記軒天井材１の側端面又は側端部に取着の取付具２に取付けられる硬質材よりなる保持部２２と、該保持部２２に一体形成される軟質部２３よりなり、該軟質部２３の一部若しくは全体に前記スリット２４により、リップ片２５が形成されることを特徴とする請求項１又は２記載の軒裏見切り部分のシール材。
【請求項４】
建物の外壁材と軒天井材の取り合い部分である軒裏見切り部分のシール構造であって、外壁材表面と対向して、該外壁材表面と共に軒裏見切り部分を構成する軒天井材の側端面又は軒天井材の側端部に請求項１ないし３記載のシール材を取付けたことを特徴とする軒裏見切り部分のシール構造。
【発明の詳細な説明】
【技術分野】
【０００１】
本発明は、勾配屋根を有する建物の外壁材と軒天井材の取り合い部分である軒裏見切り部分に用いるシール材と、該シール材を備えたシール構造に関する。
【背景技術】
【０００２】
図１は、軒裏見切り部分のシール構造の従来例を示すもので、軒天井材１の外壁表面と対向する端部には、軒裏見切り部分のシール材としてスポンジ３が硬質樹脂又は金属製の取付具２を介して取付けられ、軒天井材１を施工したときにスポンジ３が外壁材４表面に押付けられて軒裏見切り部分がシールされるようになっている。
【０００３】
シール材としては、前述のスポンジ以外に外壁材表面に弾接するリップを備えたものも知られる（特許文献１）。図２に示されるものがそうで、軒天井材５に添設の軒裏野縁６に取付具７によって取付けられ、外壁材１１表面に押付けられるリップ９を一体形成した水返し材８よりなっている。図中、１２は通気孔である。
【先行技術文献】
【特許文献】
【０００４】
【特許文献１】特開２００７−９２４１６号（図５、図９）
【発明の概要】
【発明が解決しようとする課題】
【０００５】
図１に示すように外壁材４の表面が凹凸をなす場合（図１では縦方向の凹凸に見えるが、図６の外壁材４に見られるように横方向にも凹凸がある。）、シール材としてのスポンジ３が凹部４ａ底に当接しないで、凹部底との間に隙間ｄが発生し、この隙間よりねずみなどの小動物が屋根裏に侵入するおそれがあった。スポンジ３が凹部底に達するほど、外壁材４へのラップ量ａを大きくすることも考えられるが、外壁材４表面の凸部と取付具２との間の間隔が狭いため、スポンジ３の厚みを厚くすると、該スポンジ３が凸部に当たって圧縮された場合、スポンジの反力で軒天井材１が取付具２と共に図１の左方に押して、軒天井材側端面と外壁材表面との間の隙間が拡大し外観性を損なうようになる。
【０００６】
スポンジに代えて凹部底に達するほどのリップを設けた場合、スポンジに比べ可撓性に富むが、凹凸への追従性に関して改良の余地がある。
【０００７】
本発明は、外壁材表面に凹凸があっても該凹凸への追随性がよく、ねずみ等の小動物が侵入しにくい軒裏見切り部分に用いるシール材と、該シール材を備えたシール構造を提供することを目的とする。
【課題を解決するための手段】
【０００８】
請求項１に係る発明は、建物の外壁材と軒天井材の取り合い部分である軒裏見切り部分に用いるシール材であって、外壁材表面と対向して、該外壁材表面と共に軒裏見切り部分を構成する軒天井材の側端面又は軒天井材の側端部に取付けられ、該側端面又は側端部に沿って可撓性を有し、凹凸に形成される外壁材表面に弾接する、ゴム、樹脂又は熱可塑性エラストマー製のリップよりなり、該リップは外壁材へのラップ量が外壁材表面に形成される凹凸の最大深さをなす凹部底の深さより大に形成されると共に、少なくとも外壁材表面に弾接する部分にはスリットが軒天井材側端面に沿う長手方向に適当間隔で入れられて無数のスリット片が形成されることを特徴とする。
【０００９】
請求項２に係る発明は、請求項１に係る発明において、前記リップは少なくとも外壁材表面に弾接する部分が外壁材に向かって斜め下向きに延出することを特徴とする。
【００１０】
請求項３に係る発明は、請求項１又は２に係る発明において、前記リップは、前記軒天井材の側端面又は側端部に取着の取付具に取付けられる硬質材よりなる保持部と、該保持部に一体形成される軟質部よりなり、該軟質部の一部若しくは全体に前記スリットにより、リップ片が形成されることを特徴とする。
【００１１】
請求項４に係る発明は、建物の外壁材と軒天井材の取り合い部分である軒裏見切り部分のシール構造であって、外壁材表面と対向して、該外壁材表面と共に軒裏見切り部分を構成する軒天井材の側端面又は軒天井材の側端部に請求項１ないし３記載のシール材を取付けたことを特徴とする。
【発明の効果】
【００１２】
請求項１に係る発明によると、リップは少なくとも外壁材表面に弾接する部分がスリットにより分断されて無数のリップ片となり、個々のリップ片は幅が狭く単独で撓むため、隣接するリップ片により動きを拘束されることなく凹凸によく追従し、凹部底にも接触しうるようになって凹部底との間に隙間を生じにくく、また外壁材表面の凸部に当たるリップ片も軒裏見切り部分の隙間の範囲内で変形しうるようになり、前記隙間を拡げて外観を損なう、といった問題を生ずることもない。
【００１３】
請求項２に係る発明によると、リップ片が上向きに傾斜している場合、小動物がリップ片を押込んで屋根裏に侵入するおそれがあるが、リップ片が下向きに傾斜していると、小動物がリップ片を押込もうとしてもリップ片が外壁材表面に押付けられ、侵入を阻止する機能を果たす。
【００１４】
請求項３に係る発明によると、リップは硬質材よりなる保持部により保形されて撓みにくいため、井材側端面又は取付具への取付作業が容易となり、変形したり皺がよる、といった施工不良が生じにくくなる。またリップは外壁材表面に弾接する部分が軟質部であるため、外壁材表面の凹凸への追従性がよい。
請求項1ないし３記載のシール材を用いた請求項4に係る発明のシール構造によると、小動物の侵入を防止することができる。
【図面の簡単な説明】
【００１５】
【図１】シール材を備えた従来のシール構造の断面図。
【図２】シール材を備えた従来のシール構造の別の例の断面図。
【図３】本発明に係るシール構造に用いるシール材の斜視図。
【図４】図３に示すシール材を備えたシール構造の断面図。
【図５】リップ片が凹部内に納まった状態を示すシール構造の断面図。
【図６】本発明に係るシール構造の一部分の斜視図。
【発明を実施するための形態】
【００１６】
以下、本発明の実施形態のシール構造に用いるシール材と、該シール材を備えたシール構造について図面により説明する。図中、図１と同一構造部分には同一符号を付してある。したがって同一符号を付した部分は同一構造となっている。
【００１７】
図３は、本発明に係るシール構造に用いられ、シール材を構成するリップ２１の斜視図、図４及び図５は前記リップ２１を用いたシール構造の断面図、図６はシール構造の一部の斜視図で、前記リップ２１は図３に示すように、硬質材、例えば硬度がＪＩＳＡ８０以上のポリプロピレン、ナイロン等の硬質樹脂、ＥＰＤＭ等の硬質ゴム或いは硬質の熱可塑性エラストマー（ＴＰＥ）よりなり、取付面２２ａが段付状をなす保持部２２と、軟質材、例えば硬度がＪＩＳＡ８０以下のゴム様弾性体である、例えばＥＰＤＭ等のゴム、熱可塑性エラストマー（ＴＰＥ）、軟質ＰＶＣ等の軟質材或いはこれと同材質のスポンジ材よりなり、保持部２２と一体形成され、斜下方に保持部２２より離れる方向に延出する断面鉤状の軟質部２３よりなり、該軟質部２３には斜め下向きに延出する部分２３ａ、好ましくは前記保持部２２より斜め上向きに突出する、延出部分２３ａとの接続部２３ｂを含む軟質部分全体にスリット２４をリップ２１の長手方向に適当間隔、好ましくは例えば２〜１０mmの一定間隔のピッチで平行に無数に形成し、スリット間の軟質部２３をリップ片２５としている。
【００１８】
本実施形態のリップ２１は以上のように構成され、軟質材よりなる個々のリップ片２５は柔軟性を有し、容易に撓み変形しても保持部２２が変形しにくい硬質材で形成されるため、直線性を保持する。
【００１９】
図４〜図６においてリップ２１は、取付具２の段付部分に保持部２２の取付面２２ａを図示しない固定手段、例えば粘着テープ、接着剤又は釘等で固定し、取付具２はまた図示しない同様な固定手段にて外壁材施工前に取付けられるか、又は外壁材施工後に外壁材４の側端部に下側より当てがって取付けられる。取付具２への取付時において、リップ２１は保持部２２によって全体が撓みにくく直線性を保持されるため、保持部２２を取付具２に固定する際の作業性がよく、変形したり皺が寄ったりした状態で取付けられる、といった施工不良を生ずることもない。
【００２０】
例えば外壁材施工後、リップ２１を取り付けた軒天井材１が施工される場合、軒天井材１の施工は軒裏見切り部分の隙間ｃが、例えば約２mmとなるようにして行われ、軒天井材１を施工した状態でリップ片２５のラップ量ｂは外壁材表面の凹凸の凹部４ａの最大深さｈより大であるため、凹部4に対応するリップ片２５は凹部底に当たるか、又は図４ないし図５に示すように少なくとも一部が凹部内面に接触し、凹部内に屈曲して納まるか、或いは先端を凹部内面に接触してシールする。
【００２１】
凸部に対応するリップ片２５は図４に示すように凸部により押込まれて撓むが、その撓みは前記隙間ｃの範囲内で行われ、軒天井材１を押して隙間ｃを拡げ、外観を損なう、といった問題を生ずることはない。
【００２２】
図４及び図５に示すシール構造は、隣接するリップ片２５のうち、一方のリップ片２５が外観材表面の凸部４ｂに、他方リップ片２５が凹部４ａに対応するようになっても一方のリップ片２５が他方のリップ片２５の動きに拘束されることなく凹凸の形状に追従するようになる。
【００２３】
図示する外壁材４は、凹部４ａ及び凸部４ｂが同形同大で、図の上下及び横方向に一定ピッチで形成されているが、凹部や凸部の形状は図示するものに限らず、任意形状の凹状或いは凸状をなしていてもよく、またその形状やサイズ或いはピッチは一定でなく、不揃いでランダムであってもよい。更には凹部や凸部は図６に示すように互い違いでなく、縦横に一直線上に並んだ碁盤目状の形態をなしていてもよいし、縦ないし横方向に或いは斜め方向に連続して一直線上に形成されていてもよい。
【００２４】
また前述のリップ２１に取付けられる取付部２は、図示する例では軒天井材１の側端部に沿う方向に連続して長く、軒天井材側端部に沿って取付けられているが、軒天井材１の側端部に沿って適当間隔で取付られるようにしてもよい。
【００２５】
本実施形態のシール構造によると、以上のように外壁材表面に凹凸があっても個々のリップ片２５がそれぞれ凹凸に追従して変形するようになり、図６に示すように外壁材表面との間に大きな隙間を作らないでシールする。しかも個々のリップ片２５は斜め下向きに延出しているため、ねずみ等の小動物が凹部を通って屋根裏に侵入すべくリップ片２５を押込もうとしても、リップ片２５は凹部内面に当たって上向きに反転することはなく、ねずみ返しの機能を果すため、ねずみ等の小動物の侵入を防ぐことができる。なお、屋根裏の換気は図６に示すように保持部２２と外壁材表面との間の隙間Ｄを通り、リップ片２５の間の小隙間Ｇ（図４及び図５参照）を通して行われる。また取付具２が軒天井材１の側端面に沿う方向に適宜の間隔を存して取付けられる場合、取付具間の間を通して行われる。
【００２６】
前記実施形態のリップ２１は、軒天井材１に取付具２を介して取付けられているが、軒天井材１の側端面に直接取付けることもできる。また図２に示すシール構造に本発明を適用し、リップ９を前記実施形態に示されるようなリップ２１と同じ構造にしてもよい。これによりリップ９が前記実施形態のリップ２１と同様、外壁材表面の凹凸によく追従するようになる。
【００２７】
また本実施形態では、勾配屋根を有する建物を図４等に図示したが、勾配屋根を有する建物に限定されることなく、軒天井材が取付けられる建物であれば、どのような建物に対しても軒裏見切り部分のシール構造に本発明を適用し、本発明と同様の効果を挙げることができる。
【符号の説明】
【００２８】
１・・軒天井材
２・・取付具
４・・外壁材
２１・・リップ
２２・・保持部
２３・・軟質部
２４・・スリット
２５・・リップ片
【図１】
0005832933.tif 000002
【図２】
0005832933.tif 000003
【図３】
0005832933.tif 000004
【図４】
0005832933.tif 000005
【図５】
0005832933.tif 000006
【図６】
0005832933.tif 000007